(57)【要約】【課題】著作権を保護しつつ、演奏操作や自動演奏データに基づく楽音波形信号を記録することができる電子音楽装置を提供すること。【解決手段】この電子音楽装置では、音源８により演奏操作Ｓｂ及び自動演奏データＳａに基づいて形成された楽音信号ＳＢ，ＳＡが記録データＳＱとして所定時間にわたりディジタルレコーダ２に記録されるが、著作権保護が必要な自動演奏データＳａによる楽音信号ＳＡが形成されるときは、保護情報検出部Ａにより記録データＳＱの記録に制限を加える。第１実施形態では、著作権保護が必要な自動演奏データＳａによる楽音信号ＳＡの形成が開始されると記録を一時停止する。さらに、この楽音形成が終了すると記録を再開する。第２実施形態では、著作権保護が必要な自動演奏データＳａによる楽音信号ＳＡの形成が開始してから終了するまで当該楽音信号ＳＡの記録が禁止される（Ａ→Ｂ→９ａ）。【選択図】図２
2008046587.tif 000002
【特許請求の範囲】
【請求項１】
演奏操作及び自動演奏データに基づいて楽音信号を形成する音源手段を備える電子音楽装置であって、
音源手段により形成された楽音信号を所定時間にわたり記録する記録手段と、
音源手段により著作権保護が必要な自動演奏データに基づく楽音信号が形成されるときは記録手段による記録を一時停止させる記録制御手段と
を具備することを特徴とする電子音楽装置。
【請求項２】
前記記録制御手段は、前記音源手段により著作権保護が必要な自動演奏データに基づく楽音信号の形成が終了したときに前記記録手段による記録を再開させることを特徴とする請求項１に記憶の電子音楽装置。
【請求項３】
演奏操作及び自動演奏データに基づいて楽音信号を形成する音源手段を備える電子音楽装置であって、
音源手段により形成された楽音信号を所定時間にわたり記録する記録手段と、
音源手段により著作権保護が必要な自動演奏データに基づく楽音信号の形成が開始してから終了するまでの間、記録手段による当該楽音信号の記録を禁止する記録制御手段と
を具備することを特徴とする電子音楽装置。
【請求項４】
演奏操作及び自動演奏データに基づいて楽音信号を形成する音源手段を備え、電子音楽装置として機能するコンピュータに、
音源手段により形成された楽音信号を所定時間にわたり記録する記録ステップと、
音源手段により著作権保護が必要な自動演奏データに基づく楽音信号が形成されるときは記録ステップでの記録を一時停止し、当該楽音信号の形成が終了したときに記録ステップでの記録を再開させる記録制御ステップと
から成る手順を実行させる音楽情報記録プログラム。
【請求項５】
演奏操作及び自動演奏データに基づいて楽音信号を形成する音源手段を備え、電子音楽装置として機能するコンピュータに、
音源手段により形成された楽音信号を所定時間にわたり記録する記録ステップと、
音源手段により著作権保護が必要な自動演奏データに基づく楽音信号の形成が開始してから終了するまでの間、記録ステップでの当該楽音信号の記録を禁止する記録制御ステップと
から成る手順を実行させる音楽情報記録プログラム。
【発明の詳細な説明】
【技術分野】
【０００１】
この発明は、演奏操作や自動演奏データに基づく音楽情報をディジタルオーディオ形式でレコーディングする音楽情報記録システムに関する。
【背景技術】
【０００２】
従来より、ユーザによる鍵盤などの演奏操作による演奏データを記録しておく装置は、例えば、特許文献１により知られている。また、楽曲データをＭＩＤＩ等の演奏データ形式からオーディオデータ形式へと変換する装置が、例えば、特許文献２により知られている。さらに、例えば、特許文献３に開示されるように、自動演奏用の楽曲データについて著作権保護を図った音楽装置がある。
【特許文献１】特開平８−２１１８６４号公報
【特許文献２】特開２００４−４５７０６号公報
【特許文献３】特開２００３−５８１５０号公報
【０００３】
これに対して、自動演奏データを再生しながら、ユーザによる演奏操作に基づいて形成された楽音信号をディジタルオーディオ形式で記録することが考えられる。しかしながら、記録をしているときに著作権保護が必要な自動演奏データが再生された場合の対策については、従来技術では考慮されていない。
【発明の開示】
【発明が解決しようとする課題】
【０００４】
この発明は、このような事情に鑑み、著作権を保護しつつ、演奏操作や自動演奏データに基づく楽音波形信号を記録することができる電子音楽装置を提供することを目的とする。
【課題を解決するための手段】
【０００５】
この発明の第１の特徴に従うと、演奏操作（Ｓｂ）及び自動演奏データ（Ｓａ）に基づいて楽音信号（ＳＢ，ＳＡ）を形成する音源手段（８）を備える電子音楽装置（コンピュータ）であって、音源手段（８）により形成された楽音信号（ＳＢ，ＳＡ）を所定時間（Ｔ１−Ｔ２〜Ｔ１）にわたり記録する記録手段（９，２；Ｒ１〜Ｒ３）と、音源手段（８）により著作権保護が必要な自動演奏データ（Ｓａ）に基づく楽音信号（ＳＡ）が形成されるときは（ｔ４）記録手段による記録を一時停止させる記録制御手段〔Ａ，２；図３（６ａ）；Ｒ４〜Ｒ７〕とを具備する電子音楽装置〔請求項１〕が提供される。なお、括弧書きは、理解の便のために付記した実施例の参照記号、用語、箇所等を表わし、以下においても同様である。
【０００６】
第１の特徴に従う電子音楽装置の記録制御手段〔Ａ，２；図３（６ａ）；Ｒ４〜Ｒ７〕は、音源手段（８）により著作権保護が必要な自動演奏データ（Ｓａ）に基づく楽音信号（ＳＡ）の形成が終了したときに（ｔ５）記録手段（９，２；Ｒ１〜Ｒ３）による記録を再開させる〔請求項２〕ように構成することができる。また、第１の特徴に従って、演奏操作（Ｓｂ）及び自動演奏データ（Ｓａ）に基づいて楽音信号（ＳＢ，ＳＡ）を形成する音源手段（８）を備え、電子音楽装置として機能するコンピュータに、音源手段（８）により形成された楽音信号（ＳＢ，ＳＡ）を所定時間（Ｔ１−Ｔ２〜Ｔ１）にわたり記録する記録ステップ（Ｒ１〜Ｒ３）と、音源手段（８）により著作権保護が必要な自動演奏データ（Ｓａ）に基づく楽音信号（ＳＡ）が形成されるときは（ｔ４）記録ステップでの記録を一時停止し、当該楽音信号（ＳＡ）の形成が終了したときに（ｔ５）記録ステップでの記録を再開させる記録制御ステップ〔図３（６ａ）；Ｒ４〜Ｒ７〕とから成る手順を実行させる音楽情報記録プログラム〔請求項４〕が提供される。
【０００７】
この発明の第２の特徴に従うと、演奏操作（Ｓｂ）及び自動演奏データ（Ｓａ）に基づいて楽音信号（ＳＢ，ＳＡ）を形成する音源手段（８）を備える電子音楽装置（コンピュータ）であって、音源手段（８）により形成された楽音信号（ＳＢ，ＳＡ）を所定時間（Ｔ１−Ｔ２〜Ｔ１）にわたり記録する記録手段（９，２；Ｒ１〜Ｒ３）と、音源手段（８）により著作権保護が必要な自動演奏データ（Ｓａ）に基づく楽音信号（ＳＡ）の形成が開始してから終了するまでの間（ｔ４〜ｔ５）、記録手段による当該楽音信号（ＳＡ）の記録を禁止する記録制御手段〔Ａ，Ｂ，９ａ；図３（６ｂ）；Ｒ４〜Ｒ７〕とを具備する電子音楽装置〔請求項３〕が提供され、演奏操作（Ｓｂ）及び自動演奏データ（Ｓａ）に基づいて楽音信号（ＳＢ，ＳＡ）を形成する音源手段（８）を備え、電子音楽装置として機能するコンピュータに、音源手段（８）により形成された楽音信号（ＳＢ，ＳＡ）を所定時間（Ｔ１−Ｔ２〜Ｔ１）にわたり記録する記録ステップ（Ｒ１〜Ｒ３）と、音源手段（８）により著作権保護が必要な自動演奏データ（Ｓａ）に基づく楽音信号（ＳＡ）の形成が開始してから終了するまでの間（ｔ４〜ｔ５）、記録ステップでの当該楽音信号（ＳＡ）の記録を禁止する記録制御ステップ〔図３（６ｂ）；Ｒ４〜Ｒ７〕とから成る手順を実行させる音楽情報記録プログラム〔請求項５〕が提供される。
【発明の効果】
【０００８】
この発明の第１の特徴によると（請求項１，２，４）、音源手段（８）にて、演奏操作（Ｓｂ）及び自動演奏データ（Ｓａ）に基づき、対応する楽音波形を表わす楽音信号（ＳＢ，ＳＡ）を形成する電子音楽装置において、音源手段（８）により形成された楽音信号（ＳＢ，ＳＡ）を所定時間（Ｔ１−Ｔ２〜Ｔ１）にわたり記録する際に（Ｒ１〜Ｒ３）、著作権保護が必要な自動演奏データ（Ｓａ）が再生される場合には（ｔ４）、記録を一時停止するように制御される（Ｒ４→Ｒ５）。さらに、著作権保護のために記録が停止した場合は、保護を要する自動演奏データ（Ｓａ）の再生が終了すると（ｔ５）記録を再開する（Ｒ６→Ｒ７）ように制御される〔図２（１）Ａ→２，図３（６ａ）〕。
【０００９】
従って、この発明によれば、著作権を保護しつつ、演奏操作や自動演奏データの再生に基づく楽音波形信号を記録することができる。さらに、著作権保護のために記録が停止した場合には、保護を要する自動演奏データの再生が終了すると自動的に記録を再開するように制御されるので、記録再開を指示するためのユーザ指示操作が不要になって「再開し忘れ」を防ぐことができ、著作権を保護しつつ演奏操作や自動演奏データに基づく楽音波形信号の記録を容易に実現することができる。
【００１０】
この発明の第２の特徴によると（請求項３，５）、音源手段（８）にて、演奏操作（Ｓｂ）及び自動演奏データ（Ｓａ）に基づき、対応する楽音波形を表わす楽音信号（ＳＢ，ＳＡ）を形成する電子音楽装置において、音源手段（８）により形成された楽音信号（ＳＢ，ＳＡ）を所定時間（Ｔ１−Ｔ２〜Ｔ１）にわたり記録する際に（Ｒ１〜Ｒ３）、著作権保護が必要な自動演奏データ（Ｓａ）が再生される場合には、この自動演奏データ（Ｓａ）の再生が開始（ｔ４）してから終了（ｔ５）するまでの間（ｔ４〜ｔ５）、当該自動演奏データ（Ｓａ）に基づく楽音信号（ＳＡ）を記録経路に流さない（Ｒ４→Ｒ７）ようにしている〔図２（２）Ａ→Ｂ→９ｂ、図３（６ｂ）〕。
【００１１】
従って、この発明によれば、著作権保護中でも記録は継続され、ユーザによる演奏操作に基づく楽音信号は記録され続けるので、著作権保護が必要な自動演奏データを再生しながらユーザによる演奏を記録することが可能となり、著作権を保護しつつ、演奏操作や自動演奏データに基づく楽音波形信号の記録を容易に実現することができる。
【発明を実施するための最良の形態】
【００１２】
〔電子音楽装置の概要〕
図１は、この発明の一実施例による電子音楽装置のハードウエア構成ブロック図を示す。この電子音楽装置は、電子楽器のように演奏操作部及び楽音信号形成部（モジュール）を備え所定の音楽情報処理機能を有する一種のコンピュータであり、中央処理装置（ＣＰＵ）１、ランダムアクセスメモリ（ＲＡＭ）２、読出専用メモリ（ＲＯＭ）３、外部記憶装置４、演奏操作検出回路５、設定操作検出回路６、表示回路７、音源回路８、ミキサ回路９、ＭＩＤＩインターフェース（Ｉ／Ｆ）１０、通信インターフェース（Ｉ／Ｆ）１１などを備え、これらの要素１〜１１はバス１２を介して互いに接続される。
【００１３】
ＣＰＵ１は、ＲＡＭ２及びＲＯＭ３と共にデータ処理回路を構成し、所定の制御プログラムに従い、タイマ１３によるクロックを利用してレコーディング処理を含む種々の音楽情報処理を実行する。ＲＡＭ２は、これらの処理に際して必要な各種データを一時記憶するためのワーク領域として用いられ、ＲＯＭ３には、これらの処理を実行するために必要な各種制御プログラムや制御データ、自動演奏データＳａ等が予め記憶される。例えば、レコーディング処理時には、ＲＡＭ２内に、再生される自動演奏データＳａを保持するための記憶領域や、ディジタルオーディオデータＳＱを記録（記憶）するための記録領域が確保され、データ処理回路（１〜３）はディジタルレコーダとして機能する。なお、ディジタルオーディオデータはオーディオデータ又は音データと略称され、その記憶は「録音」又は「レコーディング」と呼ばれ、その記録領域は「録音領域」とも呼ばれる。
【００１４】
外部記憶装置４は、ハードディスク（ＨＤ）や、フラッシュメモリのような書換え可能な不揮発性の半導体メモリ、などの内蔵記憶媒体の外に、コンパクトディスク・リード・オンリィ・メモリ（ＣＤ−ＲＯＭ）、フレキシブルディスク（ＦＤ）、光磁気（ＭＯ）ディスク、ディジタル多目的ディスク（ＤＶＤ）、スマートメディア（登録商標）等の小型メモリカード、等々、種々の可搬性の外部記録媒体を含み、制御プログラムを含む任意のデータを任意の外部記憶装置４に記憶することができる。
【００１５】
また、所定の外部記憶装置（例えば、ＨＤ）４は、多数の自動演奏データＳａを記憶する自動演奏データ記憶領域４ａを備え、レコーディング処理で得られるオーディオデータを保存するためのオーディオデータ記憶領域４ｂが設けられる。なお、記憶手段３，４等に記憶される自動演奏データが、ＭＩＤＩ形式で記述された楽音イベント進行型データであるのに対して、オーディオデータは、楽音の波形を表わす楽音波形データである。
【００１６】
演奏操作検出回路５は、鍵盤などの演奏操作子１４の演奏操作を検出し、演奏操作に対応するＭＩＤＩ形式の実演奏データＳｂをデータ処理回路の制御に従い音源回路に導入する。設定操作検出回路６は、キースイッチやマウス等の設定操作子１５の設定操作内容を検出し、これに対応する設定データをデータ処理回路に導入する。設定操作子１５には、例えば、音源回路８における楽音信号形成（生成）の条件を設定するスイッチの外に、マーキング位置指定スイッチや、ジャンプ指示スイッチ、保存スイッチ等が設けられる。
【００１７】
なお、設定操作子１５には、必要に応じて、レコーディングモードを解除するためのモード解除スイッチを設けることができる。つまり、この電子音楽装置では、電源スイッチの投入によりレコーディングモードがセットされて、後述する常時記録（常時録音）が行われるが、モード解除スイッチの操作でレコーディングモードを解除することにより、レコーディングを伴わない他の動作モードをセットすることができ、モード解除スイッチの再操作により、レコーディングモードに復帰させることができる。
【００１８】
表示回路７は、画面表示用ＬＣＤ等のディスプレイ（表示器）１６や各種インジケータ（図示せず）の表示／点灯内容をＣＰＵ１からの指令に従って制御し、各操作子１４，１５の操作に対する表示援助を行う。
【００１９】
音源回路８は、音源及びＤＳＰを有する楽音信号形成（生成）モジュールであり、演奏操作（手動演奏ともいう）及び自動演奏データに基づく楽音信号ＳＢ，ＳＡを形成（生成）する。すなわち、演奏操作については、設定操作子１５で設定された条件に従い、演奏操作子１４の演奏操作により演奏操作検出回路５で発生される実演奏データＳｂに応じた実演奏楽音信号ＳＢを形成する。また、自動演奏データについては、記憶手段３，４等からＲＡＭ２に保持された所望楽曲の自動演奏データＳａを再生して自動演奏楽音信号ＳＡを形成する。これらの楽音信号ＳＡ，ＳＢは、楽音波形を表わすオーディオデータであって、演奏オーディオデータ又は演奏音データと総称される。これに従って、演奏操作に基づく楽音信号ＳＢは実演奏オーディオデータ又は実演奏音データと呼ばれ、自動演奏データに基づく楽音信号ＳＡは自動演奏オーディオデータ又は自動演奏音データと呼ばれる。
【００２０】
ミキサ回路９は、データ処理回路からの経路制御情報に基づいてオーディオデータの入出力状態をミキシング制御し、所定の入力端子から入力されたオーディオデータをミキシングして所定の出力端子から出力する。ミキサ回路９には、音源回路８、外部入力回路１７及びサウンドシステム１８が接続され、必要に応じて、さらに、ディジタルオーディオ出力回路１９やアナログライン出力回路２０を接続することができる。
【００２１】
外部入力回路１７は、マイク等から入力される歌などのアナログ音信号をディジタルオーディオデータにＡ／Ｄ変換したり、エレクトリックギター等の他の音響入力機器からのディジタルオーディオデータをライン入力で受け取り、これらデータを外部入力オーディオデータ（外部入力音データ）ＳＣとしてミキサ回路９に入力する。一方、サウンドシステム１８は、Ｄ／Ａ変換部やアンプ、スピーカを備え、ミキサ回路９から出力されるオーディオデータＳＰに基づく楽音を発生する。
【００２２】
また、ディジタルオーディオ出力回路１９は、ミキサ回路９から出力される別のオーディオデータＳＱをディジタルのまま、データ記憶能力のあるＣＤライター等の外部ディジタルオーディオ機器に出力し、アナログライン出力回路２０は、ミキサ回路９からのオーディオデータＳＱをＤ／Ａ変換し、変換したアナログオーディオデータを、データ記憶能力のあるテープレコーダ等の外部アナログオーディオ機器にライン出力で供給する。
【００２３】
これに対して、ミキサ回路９は、レコーディングモードにおいて、音源回路８から入力される演奏オーディオデータＳＡ，ＳＢと、外部入力回路１７から入力される外部入力オーディオデータＳＣをミキシングし、ミキシングしたオーディオデータＳＰをサウンドシステム１８にオーディオ出力し、オーディオ出力されるオーディオデータＳＰのうち録音可能な期間又は部分は、別のオーディオデータＳＱとして、ＲＡＭ２内の録音領域（ディジタルレコーダ）に出力することができる。このオーディオデータＳＱは、常時録音により得られる最新の一定時間分データであり、後述する第２実施形態では、更に、出力回路１９，２０にも出力することができる。
【００２４】
ＭＩＤＩＩ／Ｆ１０には、この電子音楽装置と同様のＭＩＤＩ音楽情報処理機能を有する外部ＭＩＤＩ機器５０が接続され、ＭＩＤＩＩ／Ｆ１０を通じてこの電子音楽装置と外部ＭＩＤＩ機器５０との間でＭＩＤＩ演奏データを授受することができる。また、外部ＭＩＤＩ機器５０からの外部演奏データは、実演奏データや自動演奏データと同様に、音源回路９を通じて演奏オーディオデータを形成するのに利用することができる。
【００２５】
通信Ｉ／Ｆ１１には、インターネットやローカルエリアネットワーク（ＬＡＮ）などの通信ネットワーク６０が接続され、外部のサーバコンピュータ７０等から制御プログラムをダウンロードしたり自動演奏データを外部記憶装置４の自動演奏データ記憶領域４ａに保存してこの電子音楽装置で利用することができる。
【００２６】
〔レコーディング処理の実施形態〕
この発明の一実施例による電子音楽装置は、レコーディングモードにおいてレコーディング処理を実行し、自動演奏、実演奏及び外部入力オーディオデータＳＡ〜ＳＣに基づく楽音を発生すると共に、録音（記録）可能なオーディオデータを所定の態様でディジタルレコーダに常時録音（常時記録）することができる。このレコーディング処理は、第１実施形態或いは第２実施形態で実現することができ、図２は、各実施形態のレコーディング処理に関する機能ブロック図を示す。
【００２７】
図２において、音源回路８は、多数（例えば、６４）の発音チャンネルを有し、外部記憶装置４の自動演奏データ記憶領域４ａ等に記憶されており、再生のためにＲＡＭ２に保持される自動演奏データ（例えば、ソングデータや自動伴奏データ等）Ｓａや、演奏操作子（例えば、鍵盤）１４の演奏操作による実演奏データＳｂに基づいて、同時に多数の楽音信号を形成し、各演奏データＳａ，Ｓｂに基づき音源回路８で形成された自動演奏及び実演奏楽音信号ＳＡ，ＳＢは演奏オーディオデータとしてミキサ回路９に入力される。
【００２８】
ここで、各発音チャンネルには、異なる音色を割り当てることができ、自動演奏データＳａの自動演奏イベントと実演奏データＳｂからの実演奏イベントとで異なる音色の楽音信号ＳＡ，ＳＢを形成することができる（もちろん同じ音色でもよい）。また、図２では、理解し易くするために「自動演奏用」と「実演奏用（演奏操作子用）」とを別に表わしたが、通常は、多数のチャンネルのうちの任意のチャンネルに自動演奏データＳａからの演奏イベント及び演奏操作子Ｓｂからの演奏イベントを割り当てることができる。
【００２９】
「外部オーディオ入力」は、マイクやライン入力から外部入力回路１７を通じて入力される外部入力オーディオデータＳＣを表わす。これら自動演奏、実演奏及び外部入力オーディオデータＳＡ，ＳＢ，ＳＣがミキサ回路９に入力されると、ミキサ回路９は、入力されたオーディオデータＳＡ〜ＳＣをミキシングし、ミキシングされたオーディオデータＳＰをサウンドシステム１８にオーディオ出力しそのスピーカから発音させる。また、ディジタルレコーダにおいては、常時、ミキシングオーディオデータＳＰのうち録音可能な最新の一定時間分のオーディオデータＳＱが録音（記録）されて行く。
【００３０】
つまり、レコーディングについては、例えば、録音を開始して第１設定時間（Ｔ１）が経過すると、以後、録音しているオーディオデータの先頭から第２設定時間（Ｔ２）分づつ古いデータを順次削除しながら、新たなデータの録音を進めて行き、最新の一定時間（Ｔ１−Ｔ２〜Ｔ１）分のオーディオデータを録音することができる。このように常時データ記録を持続する記録態様は、「常時録音」、「常時記録」或いは「常時レコーディング」と呼ばれ、常時録音によって、演奏者は、「録音」していることを意識せずに気楽に演奏をし、この演奏内容を含むオーディオデータＳＱをほぼ所定時間Ｔ１分だけ蓄積しておくことができる。なお、この電子音楽装置では、ディジタルレコーダにおいて一定時間分のオーディオデータＳＱを録音するのにＲＡＭ２内の録音領域が利用される。
【００３１】
自動演奏データＳａについては、保護が必要な場合には著作権情報Ｃｐが付与されており、著作権情報Ｃｐの有無により著作権保護の必要／不要が規定されている。そこで、この電子音楽装置では、レコーディング処理時に保護情報検出部Ａを機能させ、著作権保護が必要なものはディジタルオーディオデータＳＱとして録音することができないようにしている。なお、全ての自動演奏データに著作権情報が付与されているものに限らず、保護が必要なものにのみ、付与するようにしてもよい。
【００３２】
保護情報検出部Ａは、レコーディングモードで自動演奏データＳａの再生を開始する際に、著作権情報Ｃｐにより自動演奏データＳａから著作権情報Ｃｐを検出すると、ディジタルレコーダ（２）或いはミキサ回路９を制御して自動演奏オーディオデータＳＡのディジタルレコーダへの録音を禁止し、自動演奏データＳａのコピー保護を図る。
【００３３】
また、ディジタルレコーダ（２）に録音済みのオーディオデータＳＲを過去に遡って再生することができる。この場合、ミキサ回路９は、ディジタルレコーダ（２）の録音済みオーディオデータＳＲをサウンドシステム１８に出力するようにデータ入出力経路を切り換え、また、録音済みオーディオデータＳＲの再生開始ポイントは、録音時に自動的にマーキングされた位置に戻して、サウンドシステム１８により録音済みオーディオデータＳＲのオーディオ再生を行うが、ディジタルレコーダ（２）への常時録音は継続する。
【００３４】
さらに、必要に応じて、録音済みオーディオデータＳＲの一部を切り出し、外部記憶装置４のオーディオデータ記憶領域４ｂ内に永久保存することもできる。この場合は、ディジタルレコーダ（２）への常時録音を一時停止し、録音時に自動的にマーキングされた位置に基づき録音済みオーディオデータＳＲの一部を切り出して保存し、保存処理後に常時録音を再開する。
【００３５】
第１実施形態では、図２（１）に示されるように、単独のミキサモジュール９を用いて上述した種々の処理が行われる。すなわち、ミキサ９は、基本的な動作として、音源回路８の各チャンネル８ａ，８ｂからの演奏オーディオデータＳＡ，ＳＢ及び外部入力回路１７からの外部入力オーディオデータＳＣをミキシングし、ミキシングされたオーディオデータＳＰをサウンドシステム１８及びディジタルレコーダ（２）に出力する。この場合、オーディオデータのレコーディングについては、ディジタルレコーダ（２）で、保護情報検出部Ａによる所定の制限の下に、録音可能なオーディオデータＳＱを録音する。
【００３６】
保護情報検出部Ａは、自動演奏データＳａから著作権情報を検出した場合は、この自動演奏データＳａの再生中はディジタルレコーダの録音動作を停止させる。つまり、著作権保護「有り」の自動演奏データの再生を開始すると、ディジタルレコーダによる常時録音が一時停止され、再生が終了すると常時録音が再開される。これにより、著作権保護「有り」の自動演奏データＳａを再生する場合は、ミキサ９からオーディオ出力されるオーディオデータＳＰのうち、当該自動演奏データＳａが再生される期間を除いたオーディオデータＳＱが、録音可能な音データとして、ディジタルレコーダ（２）に録音される。
【００３７】
第２実施形態では、第１実施形態に対してミキサモジュール及び制御ゲートを追加し、図２（２）に示されるように、２つのミキサモジュール９ａ，９ｂを用いると共に、制御ゲートＢにより第２ミキサ９ｂを制御する。第１ミキサ９ａは、オーディオ出力専用で、第１実施形態のミキサ９と同様に、基本的には、各入力オーディオデータＳＡ〜ＳＣをミキシングし、ミキシングオーディオデータＳＰをサウンドシステム１８にオーディオ出力し、必要に応じて、ディジタルレコーダ（２）の録音済みオーディオデータＳＰを所定のマーキング位置からサウンドシステム１８に再生出力する。
【００３８】
第２ミキサ９ｂはレコーディング用に設けられたものであり、音源回路８の実演奏（演奏操作子）用チャンネル８ｂからの実演奏オーディオデータＳＢや外部入力からの外部入力オーディオデータＳＣは、常時、第１ミキサ９ａに入力されるが、自動演奏用チャンネル８ａからの自動演奏オーディオデータＳＢについては、保護情報検出部Ａにより制御される制御ゲートＢを介して第２ミキサ９ｂに入力される。
【００３９】
つまり、制御ゲートＢは、再生される自動演奏データＳａの著作権情報に応じて当該自動演奏データＳａに対応する自動演奏オーディオデータＳＡの通過を制御し、著作権保護が「有り」の場合は遮断し、「無し」の場合には自動演奏オーディオデータＳＡを第２ミキサ９ｂへと通過させる。これにより、著作権保護「有り」の自動演奏データＳａを再生する場合は、全入力オーディオデータ（ＳＡ〜ＳＣ）から当該自動演奏データＳａに基づく自動演奏オーディオデータＳＡの部分を除いたオーディオデータＳＱが、録音可能な音データとして第２ミキサ９ｂからディジタルレコーダ（２）へと録音される。例えば、自動演奏、実演奏及び外部オーディオデータＳＡ〜ＳＣが全て入力された際には、実演奏及び外部オーディオデータＳＢ，ＳＣのみが録音可能なオーディオデータＳＱとされる。
【００４０】
また、第２ミキサ９ｂから出力される録音可能なオーディオデータＳＱは、ディジタルオーディオ出力回路１９やアナログライン出力回路２０を通じて外部ディジタルオーディオ機器や外部アナログオーディオ機器に送られ、各外部オーディオ機器で記憶し利用することができる。さらに、ディジタルレコーダ（２）に録音済みのオーディオデータＳＲは、外部記憶装置４のオーディオデータ録音領域４ｂに保存したり、第２ミキサ９ｂを通じて、各出力回路１９，２０に出力し、各外部オーディオ機器で利用することができる。
【００４１】
以上のように、この電子音楽装置によるオーディオデータのレコーディング上の特徴によれば、音源８により演奏操作Ｓｂ及び自動演奏データＳａに基づいて形成された楽音信号ＳＢ，ＳＡが記録データＳＱとして所定時間（Ｔ１−Ｔ２〜Ｔ１）にわたりディジタルレコーダ２に記録される。その際、著作権保護が必要な自動演奏データＳａによる楽音信号ＳＡが形成されるときは、保護情報検出部Ａの著作権情報検出及び制限制御機能により記録データＳＱの記録に制限を加える。第１実施形態においては、著作権情報が検出され保護が必要な自動演奏データＳａによる楽音信号ＳＡの形成が開始されると記録を一時停止する。さらに、この楽音形成が終了すると記録を再開する（Ａ→２）。また、第２実施形態では、著作権保護が必要な自動演奏データＳａによる楽音信号ＳＡの形成が開始してから終了するまで、当該楽音信号ＳＡについてのみ記録が禁止される（Ａ→Ｂ→９ａ）。
【００４２】
〔各種演奏・入力状態及び常時録音の例〕
図３は、この発明の一実施例によるレコーディング処理における演奏・入力状態と常時録音態様について、時間経過を横軸に採りその一例を示す図である。図３において、（１）〜（３）は、手動演奏（演奏操作）、自動演奏及び外部入力による演奏進行の状態の一例を示しており、（４）〜（６）は、これに対応するオーディオ出力（音響出力）ＳＰ、常時録音の許可状態及び常時録音による録音内容ＳＱを示す。
【００４３】
演奏者が時間ｔ１で電子音楽装置の電源を投入してレコーディングモードに入ると、常時録音が開始される。演奏が進行していない開始当初ｔ１〜ｔ２は、図３（５），（６）に示されるように録音可能であり、無音状態がディジタルレコーダに録音される。時間ｔ２で、図３（３）に示すように外部入力があると、図３（４）〜（６）のように、外部入力による外部入力音データＳＣがミキサ回路９からサウンドシステム１８にオーディオ出力されると共にレコーダに録音される。その後、時間ｔ３で、図３（１）のように手動演奏（演奏操作）が始まると、図３（４）〜（６）のように、外部入力音データＳＣに加えて、手動演奏による実演奏音データＳＢがオーディオ出力されると共に録音される。
【００４４】
さらに、時間ｔ４で、図３（２）のように、著作権保護が必要な自動演奏データＰａの再生が開始されると、図３（４）のように、外部入力及び実演奏音データＳＡ，ＳＢに加えて、自動演奏による自動演奏音データＳＣがサウンドシステム１８にオーディオ出力されるが、保護情報検出部Ａの機能により、図３（５）のように録音不可が設定され、外部入力や手動演奏の有無に拘わらず、自動演奏音データＳＡの録音不可として録音制限を行う。すなわち、第１実施形態〔図２（１）〕では、図３（６ａ）のようにディジタルレコーダの録音が停止され、第２実施形態〔図２（２）〕では、図３（６ｂ）のように、自動演奏音データＳＣを除く実演奏及び外部入力音データＳＡ，ＳＢのみが録音される。
【００４５】
そして、時間ｔ５で、図３（２）のように、著作権保護が必要な自動演奏データＰａの最後まで再生されたり或いは途中で再生が止められて、当該自動演奏データＰａの再生が終了すると、図３（５）のように、録音可能状態に復帰する。この時点ｔ５で、図３（１），（３）のように、外部入力及び手動演奏も同時に停止した場合は、図３（４）のように音データのオーディオ出力は無く、ディジタルレコーディングについては、第１実施形態では、図３（６ａ）のように無音状態の録音が開始され、第２実施形態では、図３（６ｂ）のように無音状態の録音に移行する。
【００４６】
さらに、時間ｔ６で、図３（３）のように外部入力があると、図３（６）のように外部入力音データＳＣがオーディオ出力されると共に録音される。また、時間ｔ７で、図３（２）のように著作権保護が不要な自動演奏データＰａが再生されると、図３（４），（６）のように、その自動演奏音データＰＡもオーディオ出力されると共に録音される。そして、時間ｔ８で、図３（２），（３）のように、保護不要な自動演奏データＰａの再生が終わり、外部入力音もなくなると、図３（４），（６）のように、音データのオーディオ出力は無くなり、無音状態が録音され、以後、この状態が持続する。
【００４７】
更に時間が経過し、実録音時間が、予め定められた第１設定時間Ｔ１（例えば、Ｔ１＝１時間５分）に達すると、録音されているデータの先頭から第２設定時間Ｔ２（例えば、Ｔ２＝５分）分までを削除する。例えば、録音を継続する第２実施形態の場合は、図３（７），（６ｂ）に示すように、録音開始時点ｔ１から第１設定時間Ｔ１が経過したタイミングｔ９において、録音しているオーディオデータの先頭位置ｔ１から第２設定時間Ｔ２経過後の位置ｔａまでの記録データを削除する。以後も、時点ｔａから第１設定時間Ｔ１が経過したタイミングで、新たな先頭位置ｔａから第２設定時間Ｔ２経過後の位置までの記録データを削除するというように、古いデータを順次削除しながら新たなデータの追加録音を進める。なお、図３（６ａ）のように録音中断期間ｔ４〜ｔ５がある第１実施形態の場合には、中断期間ｔ４〜ｔ５を除外して第１設定時間Ｔ１の経過を判断する。
【００４８】
自動演奏音データの再生開始時点や手動演奏（演奏操作）の開始時点は、時間を遡って再生したり、必要部分を切り出して保存する際のポイントになることが多い。そこで、この発明の一実施例においては、所定時間（Ｔ３）以上の無演奏後における自動演奏或いは手動演奏の開始時点に相当する録音位置にマーキングを行う。この場合、より好ましくは、開始時点の所定時間（Ｔ４）前とするのがよい。このようにマーキングポイントを「所定時間前」とすることにより、「演奏が始まる前から歌が始まる」ような楽曲を遡って再生したり切り出す際にも、歌の部分を含める可能性を高めることができる。
【００４９】
例えば、図３におけるタイミングｔ３，ｔ７のように、第３設定時間Ｔ３（例えば、Ｔ３＝５分）以上の間、自動演奏や手動演奏などの演奏がない無演奏状態が続き、かかる無演奏の後で自動演奏或いは手動演奏が開始された場合には、図３（８）に示すように、当該自動演奏又は手動演奏の開始位置ｔ３，ｔ７から第４設定時間Ｔ４（例えば、Ｔ４＝３０秒）だけ前の時間位置ｔｂ，ｔｃをマーキングポイント（所謂“頭出し位置”）とし、この位置にマーキングＭ１，Ｍ２を設定する。
【００５０】
なお、一般的なレコーダにおいては、外部入力音が「無し」から「有り」に変わった時点でマーキングをするものが知られているが、この発明の一実施例においては、外部入力音の有無ではマーキングをせず、演奏開始に対応してマーキングを行うようにしている。この理由は、外部入力音は、例えば、物音のように、演奏者の意図とは無関係に発生する可能性があり、外部入力音によるものでは不必要にマーキングされてしまう恐れがあるからである。
【００５１】
以上のように、この電子音楽装置による記録データのマーキング上の特徴によれば、音源８により演奏操作Ｓｂ及び／又は自動演奏データＳａに基づいて形成された楽音信号ＳＢ，ＳＡと外部１７から入力される外部入力音信号ＳＣとが記録データＳＱとして所定時間Ｔ１−Ｔ２〜Ｔ１にわたりディジタルレコーダ２に常時記録される。その際、音源８で形成される楽音信号ＳＢ，ＳＡが所定時間Ｔ３以上の間「無し」を持続した後の時間位置ｔ３，ｔ７で「有り」に変わったことを検出すると、記録データＳＱにマーキングＭ１，Ｍ２を設定する。マーキングＭ１，Ｍ２は、検出された位置ｔ３，ｔ７よりも所定時間Ｔ４だけ前の位置ｔｂ，ｔｃに設定され、これにより、記録データの再生や保存の際には、マーキングＭ１，Ｍ２に従い、余裕をもって的確に頭出しや切出しを行うことができる。
【００５２】
〔処理フロー例〕
図４は、この発明の一実施例によるレコーディング処理を表わすフローチャートを示す。電子音楽装置の電源を投入すると、このレコーディング処理が始まり、最初のステップＲ１で録音動作を開始する。次のステップＲ２では、録音時間が第１設定時間Ｔ１を越えたか否かを判定し、第１設定時間Ｔ１を越えたときは（Ｒ２→ＹＥＳ）、ステップＲ３に進んで、録音済みオーディオデータの先頭から第２設定時間Ｔ２分のデータを削除する。
【００５３】
録音時間が第１設定時間Ｔ１を越えていないとき（Ｒ２→ＮＯ）或いはステップＲ３の先頭部分データ削除処理の後は、ステップＲ４で、著作権保護有りの自動演奏データの再生を開始しようとしているか否かを判定する。ここで、著作権保護有りの自動演奏データの再生を開始すると判定したときは（Ｒ４→ＹＥＳ）、ステップＲ５に進み、当該自動演奏データの録音不可をセットして所定の録音制限を行う。例えば、第１実施形態では、録音区間を制限してオーディオデータの録音を一時停止し、第２実施形態では、録音対象のデータを制限して、自動演奏データに基づき形成される自動演奏音デーＳＡについてのみ録音を禁止する（録音しない）。
【００５４】
著作権保護有りの自動演奏データの再生開始はないと判定したとき（Ｒ４→ＮＯ）或いはステップＲ５の録音制限処理の後は、ステップＲ６で、著作権保護有りの自動演奏データの再生を終了したか否かを判定する。ここで、著作権保護有りの自動演奏データの再生を終了したと判定したときは（Ｒ６→ＹＥＳ）、ステップＲ７に進み、ステップＲ５での処理を無効化し、当該自動演奏データの録音不可をリセットして録音制限を解除する。例えば、第１実施形態では、一時停止していた録音を再開し、第２実施形態では、自動演奏音データＳＡのみの録音禁止を解除する。
【００５５】
著作権保護有りの自動演奏データの再生終了はないと判定したとき（Ｒ６→ＮＯ）或いはステップＲ７の録音制限解除処理の後は、ステップＲ８で、音源回路８において第３設定時間Ｔ３以上「楽音信号（演奏音データＳＡ，ＳＢ）形成なし」の状態が続いた後に「楽音信号（ＳＡ，ＳＢ）形成有り」に変化したか否かを判定する。ここで、第３設定時間Ｔ３以上の「楽音信号形成なし」状態から「楽音信号形成有り」に変化したと判定したときは（Ｒ８→ＹＥＳ）、ステップＲ９に進んで、この変化のタイミングから第４設定時間Ｔ４前のタイミング位置にマーキングを行う。
【００５６】
第３設定時間Ｔ３以上の「楽音信号形成なし」状態から「楽音信号形成有り」への変化はないと判定したとき（Ｒ８→ＮＯ）或いはステップＲ９のマーキング処理の後は、ステップＲ１０で、マーキング位置を指定してジャンプの指示があったか否かを判定する。ここで、マーキング位置指定スイッチの操作によりマーキング位置が指定され更にジャンプ指示スイッチの操作でジャンプが指示されたと判定したときは（Ｒ１０→ＹＥＳ）、ステップＲ１１に進んで、録音済みオーディオデータＳＲのポイントを、指定されたマーキング位置に戻し、このポイントを読出し開始位置として録音済みオーディオデータＳＲの再生を開始する（ただし、録音は継続する）。
【００５７】
マーキング位置指定によるジャンプ指示はないと判定したとき（Ｒ１０→ＮＯ）或いはステップＲ１１のマーキング位置からの再生開始処理の後は、ステップＲ１２に進んで、マーキング位置を指定して切出し保存の指示があったか否かを判定する。
【００５８】
ここで、保存指示スイッチの操作で保存が指示され更にマーキング位置指定スイッチの操作によりマーキング位置が指定されたと判定したときは（Ｒ１２→ＹＥＳ）、ステップＲ１３に進み、録音動作を一時停止すると共に、録音済みオーディオデータＳＲから、指定されたマーキング位置に対応する区間を切り出して外部記憶装置４のオーディオデータ記憶領域４ｂに保存する。例えば、マーキング位置を１つ指定した場合は、指定されたマーキング位置とその直前のマーキング位置との間の録音済みオーディオデータＳＲを保存し、マーキング位置を２つ指定した場合には、指定された２つのマーキング位置間の録音済みオーディオデータＳＲを保存する。そして、保存処理の後は、録音動作を再開する。
【００５９】
マーキング位置指定による保存指示はないと判定したとき（Ｒ１２→ＮＯ）或いはステップＲ１３の録音済みオーディオデータ保存処理の後は、ステップＲ１４で終了指示があったか否かを判定し、終了指示がないときは（Ｒ１４→ＮＯ）ステップＲ２に戻り、終了指示がない間は、ステップＲ１〜Ｒ１４の処理を繰り返す。そして、電源供給のオフ或いはモード解除スイッチの操作などによりレコーディング終了の指示があると（Ｒ１４→ＹＥＳ）、このレコーディング処理を終了する。
【００６０】
〔種々の実施態様〕
以上、図面を参照しつつ、この発明の好適な実施の形態について詳述したが、これは単なる一例であって、この発明の精神を逸脱しない範囲で種々の変更が可能である。例えば、記録の第１設定時間Ｔ１は、ユーザ（演奏者）によって選択可能としてもよい。
【００６１】
マーキング判断のための第３設定時間Ｔ３とマーキングする位置を決定する第４設定時間Ｔは、ユーザによって選択可能としてもよい。なお、第４設定時間Ｔ４は「０」（音源で楽音信号の形成を開始したタイミングに等しい）としてもよい。
【００６２】
著作権保護が必要な自動演奏データは、ソングデータ、自動伴奏データなど、どのような形態のものでもよい。また、ＭＩＤＩデータのみで構成されるものに限らず、オーディオデータも含まれているようなデータであってもよい。
【００６３】
アナログライン出力回路２０へは、著作権保護をした第２ミキサ９ｂからの出力ＳＱを供給するものに限らず、著作権保護をしていない第１ミキサ９ａからの出力ＳＰを供給しても良い。
【００６４】
実施例では常時記録を行う場合について説明したが、常時でない記録態様で実施することができる。例えば、ユーザからの録音開始の指示があると録音を開始し、録音停止の指示があったとき、記録媒体の記録可能な容量に達した（同容量を超えた）とき、或いは、予め設定した録音時間に達したとき等に記録を停止する。
【００６５】
また、著作権保護が必要な自動演奏データに基づく楽音信号形成に応じて記録を一時停止し、該楽音信号形成が終了したときに記録を再開させるものに限らず、該楽音信号形成に応じて記録を停止させるだけとし、記録を再開させるにはユーザからの記録再開指示を必要とするようにしてもよい。
【図面の簡単な説明】
【００６６】
【図１】この発明の一実施例による電子音楽装置のハードウエア構成例を表わすブロック図である。
【図２】この発明の一実施例による電子音楽装置のレコーディング機能を説明するための機能ブロック図である。
【図３】この発明の一実施例によるレコーディング処理における演奏・入力状態と常時録音の例を表わす図である。
【図４】この発明の一実施例によるレコーディング処理例を表わすフローチャートである。
【符号の説明】
【００６７】
４ａ，４ｂ  外部記憶装置４の自動演奏データ記憶領域及びオーディオデータ記憶領域、
Ｓｂ  演奏操作（手動演奏）により発生される実演奏データ（手動演奏データ）、
ＳＡ  自動演奏データＳａに基づき形成される楽音信号（自動演奏音データ）、
ＳＢ  実演奏データＳｂに基づき形成される楽音信号（実演奏音データ）、
ＳＣ  外部入力音データ、
ＳＰ  オーディオ出力されるオーディオデータ、
ＳＱ  常時記録（常時録音）されるオーディオデータ、
ＳＲ  記録（録音）済みオーディオデータ（記録データ又は録音データ）、
Ａ，Ｂ  保護情報検出部及び制御ゲート、
Ｔ１〜Ｔ４  第１〜第４設定時間、
Ｍ１，Ｍ２  マーキング。
【図１】
2008046587.tif 000003
【図２】
2008046587.tif 000004
【図３】
2008046587.tif 000005
【図４】
2008046587.tif 000006